(57)【要約】【課題】エコモードで、見栄えのよい画像を記録媒体に形成する。【解決手段】画像形成装置１００は、画像形成部１４、第１決定部４０２、生成部４０５、及び置換部４０６を備える。画像形成部１４は、写真画像ＰＴと第１テキスト画像ＴＸとを含む画像を用紙Ｐに形成する。第１決定部４０２は、第１テキスト画像ＴＸに基づき、第２サイズを決定する。生成部４０５は、写真画像ＰＴの説明文ＥＴを生成する。置換部４０６は、写真画像ＰＴを第２テキスト画像ＴＸ２に置換する。第２テキスト画像ＴＸ２は、説明文ＥＴに対応するテキスト画像を示す。第２サイズは、第２テキスト画像ＴＸ２に含まれる文字のサイズを示す。【選択図】図２
2019198040.tif 000002
【特許請求の範囲】
【請求項１】
写真画像と第１テキスト画像とを含む画像を記録媒体に形成する画像形成部と、
前記写真画像の説明文を生成する生成部と、
前記第１テキスト画像に基づき、第２サイズを決定する第１決定部と、
前記写真画像を第２テキスト画像に置換する置換部と
を備え、
前記第２テキスト画像は、前記説明文に対応するテキスト画像を示し、
前記第２サイズは、前記第２テキスト画像に含まれる文字のサイズを示す、画像形成装置。
【請求項２】
前記第１決定部は、前記第２サイズが第１サイズと略一致するように前記第２サイズを決定し、
前記第１サイズは、前記第１テキスト画像に含まれる文字のサイズを示す、請求項１に記載の画像形成装置。
【請求項３】
第２書体が第１書体と一致するように前記第２書体を決定する第２決定部を更に備え、
前記第１書体は、前記第１テキスト画像に含まれる文字の書体を示し、
前記第２書体は、前記第２テキスト画像に含まれる文字の書体を示す、請求項１又は請求項２に記載の画像形成装置。
【請求項４】
前記説明文の文字数を決定する第３決定部を更に備え、
前記生成部は、前記文字数に基づいて、前記説明文を生成する、請求項１から請求項３のいずれか１項に記載の画像形成装置。
【請求項５】
前記第３決定部は、前記写真画像のサイズ及び前記第２サイズに基づいて、前記文字数を決定する、請求項４に記載の画像形成装置。
【請求項６】
第１消費量と第２消費量とを算出する第１算出部と、
前記第１消費量及び前記第２消費量に基づいて、前記写真画像を前記第２テキスト画像に置換するか否かを判定する第１判定部と
を更に備え、
前記画像形成部は、トナーを消費することによって、前記画像を前記記録媒体に形成し、
前記第１消費量は、前記写真画像を前記記録媒体に形成するために消費される前記トナーの消費量を示し、
前記第２消費量は、前記第２テキスト画像を前記記録媒体に形成するために消費される前記トナーの消費量を示す、請求項１から請求項５のいずれか１項に記載の画像形成装置。
【請求項７】
第１データサイズと第２データサイズとを算出する第２算出部と、
前記第１データサイズ及び前記第２データサイズに基づいて、前記写真画像を前記第２テキスト画像に置換するか否かを判定する第２判定部と
を更に備え、
前記第１データサイズは、前記写真画像に対応する画像情報のデータサイズを示し、
前記第２データサイズは、前記第２テキスト画像に対応するテキスト情報のデータサイズを示す、請求項１から請求項６のいずれか１項に記載の画像形成装置。
【請求項８】
写真画像と第１テキスト画像とを含む画像を記録媒体に形成する画像形成装置の画像形成方法であって、
前記写真画像の説明文を生成する生成ステップと、
前記第１テキスト画像に基づき、第２サイズを決定する第１決定ステップと、
前記写真画像を第２テキスト画像に置換する置換ステップと
を含み、
前記第２テキスト画像は、前記説明文に対応するテキスト画像を示し、
前記第２サイズは、前記第２テキスト画像に含まれる文字のサイズを示す、
画像形成方法。
【発明の詳細な説明】
【技術分野】
【０００１】
本発明は、画像形成装置及び画像形成方法に関する。
【背景技術】
【０００２】
特許文献１に記載の画像形成装置は、トナーの消費量を通常より減少させて印刷を行うエコモードにおいて、原稿中の文字領域、写真領域等の画像の種別に応じて画素の削減率を変える。
【先行技術文献】
【特許文献】
【０００３】
【特許文献１】特開２００５−２３４３９１号公報
【発明の概要】
【発明が解決しようとする課題】
【０００４】
特許文献１に記載の画像形成装置は、写真領域に含まれる写真をその説明文に置き換えて印刷することはできない。そのため、特許文献１に記載の画像形成装置は、文字領域に含まれる文字のサイズ及び書体と、写真の説明文を構成する文字のサイズ及び書体とを調整して、エコモードで見栄えのよい画像を形成することはできない。
【０００５】
本発明は、上記課題に鑑みてなされたものであり、写真領域に含まれる写真を説明文に置き換えることができ、説明文を構成する文字のサイズ及び書体を調整して、見栄えのよい画像を記録媒体に形成できる画像形成装置及び画像形成方法を提供することを目的としている。
【課題を解決するための手段】
【０００６】
本発明に係る画像形成装置は、画像形成部、生成部、第１決定部、及び置換部を備える。前記画像形成部は、写真画像と第１テキスト画像とを含む画像を記録媒体に形成する。前記生成部は、前記写真画像の説明文を生成する。前記第１決定部は、前記第１テキスト画像に基づき、第２サイズを決定する。前記置換部は、前記写真画像を第２テキスト画像に置換する。前記第２テキスト画像は、前記説明文に対応するテキスト画像を示す。前記第２サイズは、前記第２テキスト画像に含まれる文字のサイズを示す。
【０００７】
本発明に係る画像形成方法は、写真画像と第１テキスト画像とを含む画像を記録媒体に形成する画像形成装置の画像形成方法である。前記画像形成方法は、前記写真画像の説明文を生成する生成ステップと、前記第１テキスト画像に基づき、第２サイズを決定する第１決定ステップと、前記写真画像を第２テキスト画像に置換する置換ステップとを含む。前記第２テキスト画像は、前記説明文に対応するテキスト画像を示す。前記第２サイズは、前記第２テキスト画像に含まれる文字のサイズを示す。
【発明の効果】
【０００８】
本発明の画像形成装置及び画像形成方法によれば、エコモードで見栄えのよい画像を記録媒体に形成できる。
【図面の簡単な説明】
【０００９】
【図１】本発明の実施形態に係る画像形成装置の構成の一例を示す図である。
【図２】（ａ）は、第１画像の一例を示す図である。（ｂ）は、第２画像の例を示す図である。
【図３】本発明の実施形態に係る制御部の部分構成の一例を示す図である。
【図４】本発明の実施形態に係る制御部の処理の一例を示すフローチャートである。
【図５】本発明の実施形態に係る制御部の処理の続きの一例を示すフローチャートである。
【図６】本発明の実施形態に係る制御部の残りの部分構成の一例を示す図である。
【図７】置換可否判定処理の一例を示すフローチャートである。
【発明を実施するための形態】
【００１０】
以下、本発明の実施形態について、図面（図１〜図７）を参照しながら説明する。なお、図中、同一又は相当部分については同一の参照符号を付して説明を繰り返さない。
【００１１】
まず、図１を参照して、本発明の実施形態に係る画像形成装置１００の構成について説明する。図１は、画像形成装置１００の構成の一例を示す図である。画像形成装置１００は、カラー複合機である。
【００１２】
図１に示すように、画像形成装置１００は、画像形成ユニット１、画像読取ユニット２、原稿搬送ユニット３及び制御部４を備える。画像形成ユニット１は、用紙（記録媒体）Ｐに画像を形成する。画像読取ユニット２は、原稿Ｒに形成された画像を読み取り、画像情報を生成する。原稿搬送ユニット３は、原稿Ｒを画像読取ユニット２に搬送する。制御部４は、画像形成装置１００の動作を制御する。なお、図１には記載していないが、画像形成装置１００は、通常のカラー複合機と同様に、電源、通信ボード等を備える。
【００１３】
図１には、互いに直交するＸ軸、Ｙ軸及びＺ軸を記載している。Ｘ軸及びＹ軸は、水平面と平行である。Ｚ軸は、鉛直方向と平行である。以下の説明において、Ｙ軸の正方向側を背面側といい、Ｙ軸の負方向側を前面側という場合がある。
【００１４】
画像形成ユニット１は、給送部１１、搬送部１２、トナー供給部１３、画像形成部１４、定着部１６及び排出部１７を備える。画像形成部１４は、転写部１５を含む。
【００１５】
給送部１１は、用紙Ｐを搬送部１２へ供給する。搬送部１２は、用紙Ｐを転写部１５及び定着部１６を経由して排出部１７まで搬送する。
【００１６】
トナー供給部１３には、トナーコンテナが装着される。トナーコンテナは、画像形成部１４にトナーを供給する。画像形成部１４は、用紙Ｐに画像を形成する。画像形成部１４は、トナー供給部１３から供給されるシアン色、マゼンタ色、イエロー色、及び黒色のトナーごとに色形成部を備えている。各色形成部は、露光部、感光体ドラム、現像ローラーを有する現像部、帯電ローラー及びクリーニングブレードを備える。転写部１５は、中間転写ベルト１５ａを備える。
【００１７】
画像形成部１４が、中間転写ベルト１５ａ上にシアン色、マゼンタ色、イエロー色、及び黒色のトナー像を転写する。複数色のトナー像が中間転写ベルト１５ａ上で重畳され、中間転写ベルト１５ａ上に画像が形成される。転写部１５は、中間転写ベルト１５ａ上に形成された画像を、用紙Ｐ上に転写する。その結果、用紙Ｐに画像が形成される。
【００１８】
定着部１６は、用紙Ｐを加熱及び加圧し、用紙Ｐに形成された画像を用紙Ｐに定着する。排出部１７は、用紙Ｐを画像形成装置１００の外部へ排出する。
【００１９】
制御部４は、プロセッサー４１及び記憶部４２を備える。プロセッサー４１は、例えばＣＰＵ（Ｃｅｎｔｒａｌ  Ｐｒｏｃｅｓｓｉｎｇ  Ｕｎｉｔ）を備える。記憶部４２は、半導体メモリーのようなメモリーを備え、ＨＤＤ（Ｈａｒｄ  Ｄｉｓｋ  Ｄｒｉｖｅ）を備えてもよい。記憶部４２は、制御プログラムを記憶している。プロセッサー４１は、制御プログラムを実行することによって、画像形成装置１００の動作を制御する。
【００２０】
次に、図２〜図７を参照して、制御部４の構成について説明する。図２（ａ）は、第１画像Ｍ１の一例を示す図である。図２（ｂ）は、第２画像Ｍ２の一例を示す図である。
【００２１】
図２（ａ）に示す第１画像Ｍ１は、第１テキスト画像ＴＸ１と、写真画像ＰＴとを含む。第１テキスト画像ＴＸ１を構成する文字のサイズＳＺはＳＺ１である。第１テキスト画像ＴＸ１を構成する文字の書体ＴＰはＴＰ１である。第１テキスト画像ＴＸ１は、文字オブジェクト、数字オブジェクト、及びマークオブジェクトを含む。
【００２２】
文字オブジェクトは、漢字、平仮名、片仮名、及びアルファベットの各々に対応するオブジェクトを含む。数字オブジェクトは、アラビア数字、ローマ数字、及び漢数字の各々に対応するオブジェクトを含む。マークオブジェクトは、数学記号、丸、三角、及び四角のような各種のマークの各々に対応するオブジェクトを含む。
【００２３】
写真画像ＰＴは、例えば、写真を示す。写真画像ＰＴが第１画像Ｍ１において占める領域は、写真画像領域ＡＰである。第１画像Ｍ１における写真画像領域ＡＰのサイズは、ＳＡＰである。
【００２４】
図２（ｂ）に示す第２画像Ｍ２は、第１テキスト画像ＴＸ１及び第２テキスト画像ＴＸ２を含む。図２（ｂ）の第１テキスト画像ＴＸ１は、図２（ａ）の第１テキスト画像ＴＸ１と同じである。図２（ｂ）の第２テキスト画像ＴＸ２は、図２（ａ）に含まれる写真画像ＰＴの説明文ＥＴである。第２テキスト画像ＴＸ２を構成する文字のサイズＳＺはＳＺ２である。第２テキスト画像ＴＸ２を構成する文字の書体ＴＰはＴＰ２である。
【００２５】
次に、図３を参照して、実施形態に係る制御部４の構成について説明する。図３は、本発明の実施形態に係る制御部４の部分構成の一例を示す図である。制御部４の残りの構成については、図６を参照して後に説明する。
【００２６】
制御部４は、受付部４０１、第１決定部４０２、第２決定部４０３、第３決定部４０４、生成部４０５、置換部４０６、及び出力部４１１を備える。具体的には、制御部４のプロセッサー４１は、記憶部４２が記憶する制御プログラムを実行することによって、受付部４０１、第１決定部４０２、第２決定部４０３、第３決定部４０４、生成部４０５、置換部４０６、及び出力部４１１として機能する。プロセッサー４１は、「コンピューター」の一例に相当する。
【００２７】
受付部４０１は、パーソナルコンピューター（ＰＣ：Ｐｅｒｓｏｎａｌ  Ｃｏｍｐｕｔｅｒ）２００から、第１画像Ｍ１を示す第１画像情報ＭＪ１を受信する。
【００２８】
第１決定部４０２は、第１画像情報ＭＪ１から第１テキスト画像ＴＸ１を抽出する。そして、第１決定部４０２は、第１テキスト画像ＴＸ１に含まれる文字のサイズである第１サイズＳＺ１を求める。最後に、第１決定部４０２は、第１サイズＳＺ１に基づいて、第２サイズＳＺ２を決定する。
【００２９】
第２サイズＳＺ２は、写真画像ＰＴの代わりに表示される第２テキスト画像ＴＸ２に含まれる文字のサイズ、言い換えると、説明文ＥＴの文字のサイズを示す。第２サイズＳＺ２は、第１サイズＳＺ１と略一致、又は小さい。
【００３０】
第２決定部４０３は、抽出された第１テキスト画像ＴＸ１に含まれる文字の書体である第１書体ＴＰ１を求める。そして、第２決定部４０３は、第２書体ＴＰ２を第１書体ＴＰ１と同じ書体に決定する。第２書体ＴＰ２は、第２テキスト画像ＴＸ２に含まれる文字の書体、言い換えると、説明文ＥＴの文字の書体を示す。
【００３１】
第３決定部４０４は、第１決定部４０２で決定された文字のサイズ、第２決定部４０３で決定された書体で、写真画像領域ＡＰ及び余白を合わせた領域に記載できる説明文ＥＴの文字数ＮＣを決定する。第３決定部４０４は、決定した文字数ＮＣを生成部４０５に送信する。
【００３２】
生成部４０５は、写真画像ＰＴの説明文ＥＴを生成する。具体的には、生成部４０５は、第１画像情報ＭＪ１から、写真画像ＰＴを抽出する。そして、生成部４０５は、写真画像ＰＴ、及び第３決定部４０４から受信した文字数ＮＣをサーバー装置３００に送信し、説明文ＥＴをサーバー装置３００から受信する。最後に、説明文ＥＴから第２テキスト画像ＴＸ２を生成する。
【００３３】
サーバー装置３００は、人工知能を用いて、生成部４０５から受信した写真画像ＰＴの説明文ＥＴを文字数が文字数ＮＣ以内となるように生成する。そして、サーバー装置３００は、生成した説明文ＥＴを生成部４０５に送信する。
【００３４】
サーバー装置３００による説明文ＥＴの生成は、人工知能を利用する公知の方法であれば特に限定することなく使用できる。例えば、ディープラーニングが説明文ＥＴの生成に利用できる。
【００３５】
置換部４０６は、写真画像ＰＴが第２テキスト画像ＴＸ２に置換可能であると判定された場合に、写真画像ＰＴを第２テキスト画像ＴＸ２に置換して、第２画像Ｍ２を示す第２画像情報ＭＪ２を生成する。
【００３６】
出力部４１１は、第２画像情報ＭＪ２を画像形成部１４に送信する。ユーザーの指示に基づいて、画像形成部１４が第２画像Ｍ２を用紙Ｐに形成するように、出力部４１１は画像形成部１４を制御する。
【００３７】
図４〜図５を参照して、発明の実施形態に係る制御部４の処理について説明する。図４〜図５は、本発明の実施形態に係る制御部４の処理の一例を示すフローチャートである。
【００３８】
図４〜図５に示す動作は、ユーザーがＰＣ２００を介して画像形成装置１００に第１画像Ｍ１をエコモードで印刷することを指示することによって、開始する。
【００３９】
ステップＳ１０１において、受付部４０１が、第１画像情報ＭＪ１をＰＣ２００から受け付ける。第１決定部４０２が、第１テキスト画像ＴＸ１を第１画像情報ＭＪ１から抽出する。動作はステップＳ１０３に進む。
【００４０】
ステップＳ１０３において、第１決定部４０２が、第１テキスト画像ＴＸ１から第１サイズＳＺ１を求める。動作はステップＳ１０５に進む。
【００４１】
ステップＳ１０５において、第１決定部４０２が、第１サイズＳＺ１に基づいて、第２サイズＳＺ２を決定する。動作はステップＳ１０７に進む。
【００４２】
ステップＳ１０７において、第２決定部４０３が、第１テキスト画像ＴＸ１から第１書体ＴＰ１を求める。動作はステップＳ１０９に進む。
【００４３】
ステップＳ１０９において、第２決定部４０３が、第１書体ＴＰ１に基づいて、第２書体ＴＰ２を決定する。動作はステップＳ１１１に進む。
【００４４】
ステップＳ１１１において、第３決定部４０４が、写真画像ＰＴを第１画像情報ＭＪ１から抽出する。動作はステップＳ１１３に進む。
【００４５】
ステップＳ１１３において、第３決定部４０４が、写真画像領域ＡＰのサイズＳＡＰを求める。動作はステップＳ１１５に進む。
【００４６】
ステップＳ１１５において、第３決定部４０４が、説明文ＥＴを構成する文字のサイズ及び書体、並びに写真画像領域ＡＰのサイズＳＡＰ及び余白のサイズに基づいて、説明文ＥＴの文字数ＮＣを決定する。動作はステップＳ１１７に進む。
【００４７】
ステップＳ１１７において、サーバー装置３００の人工知能を用いて、生成部４０５が写真画像ＰＴの説明文ＥＴを生成する。説明文ＥＴの文字数は、文字数ＮＣ以内である。動作はステップＳ１１９に進む。
【００４８】
ステップＳ１１９において、説明文ＥＴから第２テキスト画像ＴＸ２を、生成部４０５が生成する。動作はステップＳ１２１に進む。なお、ステップＳ１２１以降の画像形成装置１００の動作については、図５を参照して後に説明する。
【００４９】
図６は、本発明の実施形態に係る制御部４の部分構成の一例を示す図である。図６は、図３で説明した部分の記載を省略した図である。
【００５０】
図６に示すように、制御部４のプロセッサー４１は、記憶部４２が記憶する制御プログラムを実行することによって、第１算出部４０７、第１判定部４０８、第２算出部４０９、及び第２判定部４１０として更に機能する。
【００５１】
第１算出部４０７は、第１消費量ＥＸ１と第２消費量ＥＸ２とを算出する。第１消費量ＥＸ１は、写真画像ＰＴを用紙Ｐに形成するために消費されるトナーの消費量を示す。第２消費量ＥＸ２は、第２テキスト画像ＴＸ２を用紙Ｐに形成するために消費されるトナーの消費量を示す。
【００５２】
トナー消費量の算出は、例えば、写真画像ＰＴ又は第２テキスト画像ＴＸ２を用紙Ｐに形成する際の画素数に基づいて算出する。一般的に、画素数が多くなれば、トナーの消費量は大きくなる。
【００５３】
第１判定部４０８は、第１消費量ＥＸ１及び第２消費量ＥＸ２に基づいて、写真画像ＰＴを第２テキスト画像ＴＸ２に置換するか否かを判定する。具体的には、第１消費量ＥＸ１が第２消費量ＥＸ２よりも大きい場合には、写真画像ＰＴを第２テキスト画像ＴＸ２に置き換えると、第１判定部４０８が判定する。反対に、第２消費量ＥＸ２が第１消費量ＥＸ１よりも大きい場合には、写真画像ＰＴを第２テキスト画像ＴＸ２に置き換えないと、第１判定部４０８が判定する。
【００５４】
第２算出部４０９は、第１データサイズＤＳ１と第２データサイズＤＳ２とを算出する。第１データサイズＤＳ１は、写真画像ＰＴに対応する画像情報のデータサイズを示す。第２データサイズＤＳ２は、第２テキスト画像ＴＸ２に対応するテキスト情報のデータサイズを示す。画像情報は、写真画像ＰＴ、写真画像領域ＡＰの位置、写真画像領域ＡＰのサイズＳＡＰを示す情報を含む。テキスト情報は、説明文ＥＴの内容（文字列）、説明文ＥＴを構成する文字のサイズである第２サイズＳＺ２、及び説明文ＥＴを構成する文字の書体である第２書体ＴＰ２を示す情報を含む。
【００５５】
第２判定部４１０は、第１データサイズＤＳ１及び第２データサイズＤＳ２に基づいて、写真画像ＰＴを第２テキスト画像ＴＸ２に置換するか否かを判定する。具体的には、第１データサイズＤＳ１が第２データサイズＤＳ２よりも大きい場合には、写真画像ＰＴを第２テキスト画像ＴＸ２に置き換えると、第２判定部４１０が判定する。反対に、第２データサイズＤＳ２が第１データサイズＤＳ１よりも大きい場合には、写真画像ＰＴを第２テキスト画像ＴＸ２に置き換えないと、第２判定部４１０が判定する。
【００５６】
次に、図５及び図７を参照して、本発明の実施形態に係る制御部４の処理の続きを説明する。
【００５７】
ステップＳ１２１において、制御部４は、「置換可否判定処理」を実行する。置換可否判定処理とは、写真画像ＰＴを第２テキスト画像ＴＸ２に置き換えるか否かを判定する処理を示す。「置換可否判定処理」については、図７を参照して後に説明する。
【００５８】
ステップＳ１２３において、置換可と判定されたか否かを置換部４０６が判定する。置換可と判定されたと置換部４０６が判定した場合（ステップＳ１２３のＹＥＳ）は、動作はステップＳ１２５に進む。反対に、置換不可と判定されたと置換部４０６が判定した場合（ステップＳ１２３のＮＯ）は、動作はステップＳ１２７に進む。
【００５９】
ステップＳ１２５において、置換部４０６が、写真画像ＰＴを第２テキスト画像ＴＸ２に置換して、第２画像Ｍ２を示す第２画像情報ＭＪ２を生成する。動作はステップＳ１２７に進む。
【００６０】
ステップＳ１２７において、印刷するか否かをユーザーが選択する選択画面を出力部４１１が表示する。選択画面の詳細については、記載を省略する。
【００６１】
選択画面の表示中に、ユーザーの選択に基づいて、印刷をするか否かを出力部４１１が判定する。印刷すると出力部４１１が判定した場合（ステップＳ１２７のＹＥＳ）は、動作はステップＳ１２９に進む。反対に、印刷しないと出力部４１１が判定した場合（ステップＳ１２７のＮＯ）は、第２画像Ｍ２は印刷されず、動作は完了する。
【００６２】
ステップＳ１２９において、出力部４１１は、用紙Ｐに第２画像Ｍ２を形成するように画像形成部１４を制御する。画像形成部１４が、第２画像Ｍ２を用紙Ｐに形成し、動作は完了する。
【００６３】
次に、図７を参照して、制御部４の「置換可否判定処理」について説明する。図７は、制御部４の置換可否判定処理の一例を示すフローチャートである。
【００６４】
ステップＳ２０１において、写真画像ＰＴに対応する画像情報から、第１算出部４０７が第１消費量ＥＸ１を算出する。動作はステップＳ２０３に進む。
【００６５】
ステップＳ２０３において、第２テキスト画像ＴＸ２に対応するテキスト情報から、第１算出部４０７が第２消費量ＥＸ２を算出する。動作はステップＳ２０５に進む。
【００６６】
ステップＳ２０５において、第２消費量ＥＸ２が第１消費量ＥＸ１よりも大きいか否かを第１判定部４０８が判定する。第２消費量ＥＸ２が第１消費量ＥＸ１よりも大きいと第１判定部４０８が判定した場合（ステップＳ２０５のＹＥＳ）は、動作はステップＳ２１５に進む。反対に、第２消費量ＥＸ２が第１消費量ＥＸ１よりも大きくないと第１判定部４０８が判定した場合（ステップＳ２０５のＮＯ）は、動作はステップＳ２０７に進む。
【００６７】
ステップＳ２０７において、写真画像ＰＴに対応する画像情報から、第２算出部４０９が第１データサイズＤＳ１を算出する。動作はステップＳ２０９に進む。
【００６８】
ステップＳ２０９において、第２テキスト画像ＴＸ２に対応するテキスト情報から、第２算出部４０９が第２データサイズＤＳ２を算出する。動作はステップＳ２１１に進む。
【００６９】
ステップＳ２１１において、第２データサイズＤＳ２が第１データサイズＤＳ１よりも大きいか否かを第２判定部４１０が判定する。第２データサイズＤＳ２が第１データサイズＤＳ１よりも大きいと第２判定部４１０が判定した場合（ステップＳ２１１のＹＥＳ）は、動作はステップＳ２１５に進む。反対に、第２データサイズＤＳ２が第１データサイズＤＳ１よりも大きくないと第２判定部４１０が判定した場合（ステップＳ２１１のＮＯ）は、動作はステップＳ２１３に進む。
【００７０】
ステップＳ２１３において、第２判定部４１０が置換可と判定して、置換可否判定処理は終了する。動作は図５のステップＳ１２３に進む。
【００７１】
ステップＳ２１５において、第２判定部４１０が置換不可と判定して、置換可否判定処理は終了する。動作は図５のステップＳ１２３に進む。
【００７２】
以上、図１から図７を参照して、本発明の実施形態に係る画像形成装置１００について説明した。画像形成装置１００は、第１テキスト画像ＴＸ１と写真画像ＰＴとを含む第１画像Ｍ１の写真画像ＰＴを説明文ＥＴに置き換えることができる。そして、画像形成装置１００は、説明文ＥＴを構成する文字のサイズ及び字体を、第１テキスト画像ＴＸ１に含まれる文字のサイズ及び書体に合わせることができる。そのため、画像形成装置１００は見栄えのよい画像を用紙Ｐに形成できる。
【００７３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（５））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００７４】
（１）図１〜図７を参照して説明したように、本発明の実施形態では、画像形成装置１００がカラー複合機であるが、本発明はこれに限定されない。画像形成装置１００が用紙Ｐに画像を形成すればよい。例えば、画像形成装置１００がモノクロの複合機でもよいし、画像形成装置１００がカラープリンターでもよい。
【００７５】
（２）図１〜図７を参照して説明したように、本発明の実施形態では、第１画像情報ＭＪ１をＰＣ２００から受信したが、本発明はこれに限定されない。例えば、画像読取ユニット２で読み取った画像情報を使用してもよい。
【００７６】
（３）図１〜図７を参照して説明したように、本発明の実施形態では、サーバー装置３００が説明文ＥＴを生成していたが、本発明はこれに限定されない。例えば、画像形成装置１００の制御部４が、人工知能を内蔵していてもよい。
【００７７】
（４）図１〜図７を参照して説明したように、本発明の実施形態では、第２テキスト画像ＴＸ２を構成する文字のサイズと書体を、サイズ、書体の順番で決めたが、本発明はこれに限定されない。例えば、第２テキスト画像ＴＸ２を構成する文字のサイズと書体を、書体、サイズの順番で決めてもよい。
【００７８】
（５）図１〜図７を参照して説明したように、本発明の実施形態では、写真画像ＰＴ置換の可否をトナーの消費量、データサイズの順番で判定したが、本発明はこれに限定されない。例えば、写真画像ＰＴ置換の可否をデータサイズ、トナーの消費量の順番で判定してもよい。
【産業上の利用可能性】
【００７９】
本発明は、画像形成装置及び画像形成方法の分野に利用可能である。
【符号の説明】
【００８０】
１      画像形成ユニット
２      画像読取ユニット
３      原稿搬送ユニット
４      制御部
１１    給送部
１２    搬送部
１３    トナー供給部
１４    画像形成部
１５    転写部
１５ａ  中間転写ベルト
１６    定着部
１７    排出部
４１    プロセッサー
４２    記憶部
１００  画像形成装置
３００  サーバー装置
４０１  受付部
４０２  第１決定部
４０３  第２決定部
４０４  第３決定部
４０５  生成部
４０６  置換部
４０７  第１算出部
４０８  第１判定部
４０９  第２算出部
４１０  第２判定部
４１１  出力部
ＡＰ    写真画像領域
Ｍ１    第１画像
Ｍ２    第２画像
ＰＴ    写真画像
ＴＸ１  第１テキスト画像
ＴＸ２  第２テキスト画像
【図１】
2019198040.tif 000003
【図２】
2019198040.tif 000004
【図３】
2019198040.tif 000005
【図４】
2019198040.tif 000006
【図５】
2019198040.tif 000007
【図６】
2019198040.tif 000008
【図７】
2019198040.tif 000009